(57)【特許請求の範囲】
【請求項１】
被加熱物が載置されるトッププレートと、
前記トッププレートの下方に配置された複数の加熱手段と、
加熱制御に関する設定操作および加熱停止操作の入力を行う操作部と
を備え、
前記操作部は、
前記加熱手段ごとにそれぞれ設けられ、対応する前記加熱手段による加熱調理の停止操作をする切機能を備えたスイッチと、
前記加熱手段ごとにそれぞれ設けられ、加熱制御に関する設定操作をする１または複数の操作スイッチとを有し、
前記操作スイッチの少なくとも一部は、前記トッププレート上であって、前記加熱手段の手前側に、１または複数列に配列され、
前記切機能を備えたスイッチは、前記トッププレート上であって、対応する前記加熱手段の手前側、且つ、前記操作スイッチの配列の手前側に、前記操作スイッチの配列とは間隔を空けて配置され、
前記操作スイッチの手前側には、前記切機能を備えたスイッチのみが配置された
ことを特徴とする加熱調理器。
【請求項２】
前記切機能を備えたスイッチおよび前記操作スイッチは、
操作対象である前記加熱手段の幅方向の位置と対応する位置に配置された
ことを特徴とする請求項１記載の加熱調理器。
【請求項３】
前記操作部の前記各切機能を備えたスイッチおよび前記各操作スイッチを、操作対象の前記加熱手段ごとに区分する区分手段を備えた
ことを特徴とする請求項１または２記載の加熱調理器。
【請求項４】
前記区分手段は、
前記操作部に形成されたリブ状の突起、段差、および色彩の色分けの少なくとも１つである
ことを特徴とする請求項３記載の加熱調理器。
【請求項５】
前記複数の加熱手段への電力供給をオン・オフ操作する主電源スイッチを備え、
前記主電源スイッチは、
少なくとも一部分が、前記各切機能を備えたスイッチの奥行方向の位置と対応する位置に配置された
ことを特徴とする請求項１〜４の何れか１項に記載の加熱調理器。
【発明の詳細な説明】
【技術分野】
【０００１】
本発明は、加熱調理器に関する。
【背景技術】
【０００２】
従来の加熱調理器においては、例えば、「所定以上の力で電源スイッチ操作部を操作することにより開閉動作が行われその開閉動作に応じて前記制御命令を有効化及び無効化させる電源スイッチとを備え、前記電源スイッチ操作部をトップフレームの側面部に配置した」ものが提案されている（例えば、特許文献１参照）。【０００３】
また例えば、「電源スイッチ操作部は、前記トップユニットの使用者側の左右いずれか一方の角部近傍上面に、どの前記操作キーよりも前記角部に近接させて配置されるとともに、前記個別操作スイッチ部と前記電源スイッチ操作部との間に、前記トッププレート上面に段差を形成する電源スイッチ識別表示部を設けてなる」ものが提案されている（例えば、特許文献２参照）。【０００４】
また例えば、「操作摘み１１・・は、プッシュ操作により引き出すと誘導加熱コイル３，４やラジエントヒータ５、グリル７内の図示しないグリルヒータへの通電を開始し、押し込むと運転を停止し、引き出し位置で回転操作すると火力や調理時間、調理温度等を設定する様に構成している。」ものが提案されている（例えば、特許文献３参照）。
【先行技術文献】
【特許文献】
【０００５】
【特許文献１】特許４１３５７１８号公報（請求項１）
【特許文献２】特許４２５１１４０号公報（請求項１）
【特許文献３】特開２００８−７１５５０号公報（段落［００１１］）
【発明の概要】
【発明が解決しようとする課題】
【０００６】
上記特許文献１および２の加熱調理器では、複数の個別操作スイッチと、全ての個別操作スイッチの制御指令を無効化させる電源スイッチとの押し違いを少なくする構成としている。
しかしながら、複数の加熱手段の動作中において、例えば吹き零れなどが発生して咄嗟に当該加熱を停止したいとき（以下「緊急時」という。）、電源スイッチを操作すると、停止する必要のない他の加熱手段の動作も停止してしまう、という問題点があった。
また、複数の個別操作スイッチのうち、加熱を停止させるスイッチとそれ以外のスイッチとが区別しにくいため、緊急時に個別スイッチにより加熱を停止しようとする場合、操作を迷ったり押し違いをすることがある、という問題点があった。【０００７】
上記特許文献３の加熱調理器では、本体の前面にプッシュ式の操作摘みを加熱手段毎に設け、この操作摘みを押し込むと当該加熱手段の運転を停止する構成としている。
しかしながら、プッシュ式の操作摘みを設けると、部品点数の増加や構造の複雑化が生じ、コストが増加する、という問題点があった。
また、本体の前面に操作摘みを設けているため、使用者から操作摘みが見にくく、使用者は手探りで操作したり前面にかがんで操作する必要がある。このため、緊急時での即時の操作を行いにくく、また、誤操作することがある、という問題点があった。【０００８】
本発明は、上記のような課題を解決するためになされたもので、加熱調理を停止させる操作の使い勝手を向上することができる加熱調理器を得るものである。
【課題を解決するための手段】
【０００９】
本発明に係る加熱調理器は、被加熱物が載置されるトッププレートと、前記トッププレートの下方に配置された複数の加熱手段と、加熱制御に関する設定操作および加熱停止操作の入力を行う操作部とを備え、前記操作部は、前記加熱手段ごとにそれぞれ設けられ、対応する前記加熱手段による加熱調理の停止操作をする切機能を備えたスイッチと、前記加熱手段ごとにそれぞれ設けられ、加熱制御に関する設定操作をする１または複数の操作スイッチとを有し、前記操作スイッチの少なくとも一部は、前記トッププレート上であって、前記加熱手段の手前側に、１または複数列に配列され、前記切機能を備えたスイッチは、前記トッププレート上であって、対応する前記加熱手段の手前側、且つ、前記操作スイッチの配列の手前側に、前記操作スイッチの配列とは間隔を空けて配置され、前記操作スイッチの手前側には、前記切機能を備えたスイッチのみが配置されたものである。
【発明の効果】
【００１０】
本発明は、加熱手段ごとにそれぞれ設けた切スイッチを、トッププレート上であって、対応する加熱手段の手前側、且つ、操作スイッチの配列の手前側に配置したので、加熱調理を停止させる操作の使い勝手を向上することができる。
【図面の簡単な説明】
【００１１】
【図１】本発明の実施の形態１に係る加熱調理器の斜視図である。
【図２】本発明の実施の形態１に係る加熱調理器の上面図である。
【図３】本発明の実施の形態１に係る加熱調理器のブロック構成図である。
【図４】本発明の実施の形態１に係る操作部を示す図である。
【図５】本発明の実施の形態２に係る加熱調理器の上面図である。
【図６】本発明の実施の形態２に係る操作部を示す図である。
【図７】本発明の実施の形態２に係る操作部の要部拡大図である。
【図８】本発明の実施の形態２に係る区分手段の別の一例を示す図である。
【図９】本発明の実施の形態２に係る区分手段の別の一例を示す図である。
【発明を実施するための形態】
【００１２】
実施の形態１．
図１は本発明の実施の形態１に係る加熱調理器の斜視図である。
図２は本発明の実施の形態１に係る加熱調理器の上面図である。
図１、図２において、本実施の形態１に係る加熱調理器は、天面が開口された箱状の本体１の上面に、耐熱性のガラスと金属の枠体とで構成するトッププレート２が取り付けられるように構成されている。このトッププレート２には、鍋やフライパンなどの被加熱物が載置される。
本体１内には、トッププレート２に載置された被加熱物を誘導加熱する誘導加熱コイル３Ｒ、３Ｌが設けられている。
また、トッププレート２の表面には、本体１内の誘導加熱コイル３Ｒ、３Ｌが配設される位置に、加熱領域を示す目的で円形の表示（加熱口４Ｒ、４Ｌ）が形成されている。トッププレート２の右側には加熱口４Ｒが形成され、左側には加熱口４Ｌが形成される。
【００１３】
なお、本実施の形態では加熱口４が２つの場合を説明するが、本発明はこれに限るものではない。例えばトッププレート２の中央後方にさらに加熱口を設ける構成としても良い。また、複数の加熱口のうち任意の加熱口について、輻射によって加熱する輻射型熱源を用いる電気ヒーター（例えばニクロム線やハロゲンヒーター、ラジェンドヒーター等）を用いるようにしても良い。
【００１４】
トッププレート２の上面手前側には、加熱調理に関する操作を入力する操作部５が設けられている。
操作部５は、例えば、メンブレンシートを用いた接点ボタンにより構成され、使用者により接点ボタンが押下されることにより、加熱制御に関する入力操作を検知する。
なお、操作部５は、メンブレンシートを用いた接点ボタンに限らず、例えば透明性の導電性フィルムなどの電極で構成したタッチスイッチにより構成し、使用者の指などが電極の配置位置に接触する際における静電容量の変化により入力操作を検知するようにしても良い。
操作部５の詳細は後述する。
【００１５】
トッププレート２の上面手前側には、表示部６が設けられている。
この表示部６は、例えば、液晶（ＬＣＤ）や各種発光素子（ＬＥＤなど）、有機電界発光（Electro  Luminescence：ＥＬ）素子などにより構成することができる。
表示部６は、トッププレート２の左右方向の中央部に配置された中央表示部６０と、加熱口４Ｒの手前側に配置された火力表示部６１Ｒおよび右表示部６２Ｒと、加熱口４Ｌの手前側に配置された火力表示部６１Ｌおよび左表示部６２Ｌとを備える。
中央表示部６０は、加熱調理に関する設定情報や、調理モードの選択表示、自動調理の進行状況、警告表示などが表示される。
火力表示部６１Ｒ、６１Ｌは、対応する誘導加熱コイル３の投入火力などを表示する。
右表示部６２Ｒ、左表示部６２Ｌは、例えばタイマー調理における時間表示や揚げ物調理モードにおける温度表示など、対応する誘導加熱コイル３に係る加熱調理に関する情報を表示する。
【００１６】
また、トッププレート２の後方には、本体１内部と連通し、本体１内部に外気を取り込むための吸気口２０Ｒ、２０Ｌが設けられている。また、トッププレート２の後方中央には、本体１内部と連通し、本体１内部に取り込んだ空気を吹き出し排出するための排気口２１が設けられている。
また、吸気口２０Ｒ、２０Ｌおよび排気口２１の上部には、通気性を有するカバー２２を設けて、本体１内部への埃や異物侵入を防止している。
【００１７】
本体１の中央下部には魚等の調理を行うためのグリル庫３０が設けられている。
また、グリル庫３０内には、庫内に載置された被調理物を加熱するための熱源となるグリルヒーター３１（図示せず）が備えられている。このグリルヒーター３１は、例えばシーズヒーター等からなり、グリル庫３０内の上部および下部に配置される。
また、グリル庫３０の前面にはグリル扉３２が設けられ、グリル扉３２にはグリル庫３０の内部を視認できるよう視認窓３３が設けられている。また、グリル扉３２の最前面には使い勝手の良いようにグリル把持部３４が設けられている。また、グリル庫３０の内部において加熱時に排出される煙等の排気風は、本体１の奥部に設けた排気口２１より排気される。
なお、ここでは本体１の中央にグリル庫３０を設ける場合を説明するが、本発明はこれに限るものではない。例えばグリル庫３０を本体１の左側下部に設けるようにしても良い。
【００１８】
なお、「誘導加熱コイル３Ｒ」、「誘導加熱コイル３Ｌ」、および「グリルヒーター３１」は、本発明における「加熱手段」に相当する。
【００１９】
図３は本発明の実施の形態１に係る加熱調理器のブロック構成図である。
図３に示すように、本体１の内部には、制御部１００、インバーター回路１１０Ｒ、１１０Ｌ、グリルヒーター駆動回路１１１、表示部駆動回路１１２、スピーカー１１３、および電源部２００を備えている。
【００２０】
制御部１００は、操作部５からの操作信号や図示しない各種センサーからの検知信号が入力され、予め設定されたプログラム等に従って各構成部を制御するものである。
この制御部１００には、定電圧回路（図示せず）を介して直流電源が供給される。
【００２１】
電源部２００は、制御部１００からの制御に応じて、商用電源からの電力をインバーター回路１１０Ｒ、１１０Ｌ、グリルヒーター駆動回路１１１、および図示しない定電圧回路等に供給する。
【００２２】
インバーター回路１１０Ｒは、制御部１００からの加熱指令に応じて、電源部２００から供給される電力を変換し、誘導加熱コイル３Ｒと共振コンデンサＣとを接続した回路に、高周波電流を供給する。
インバーター回路１１０Ｌは、制御部１００からの加熱指令に応じて、電源部２００から供給される電力を変換し、誘導加熱コイル３Ｌと共振コンデンサＣとを接続した回路に、高周波電流を供給する。
なお、電源部２００から各インバーター回路１１０への電力供給は、制御部１００からの制御により、各インバーター回路１１０ごとにオンオフ制御がなされる。
【００２３】
誘導加熱コイル３Ｒ、３Ｌは、渦巻状に巻かれたコイルにより構成され、各インバーター回路１１０から高周波電流が供給されることにより、トッププレート２に載置された被加熱物を誘導加熱する。
【００２４】
グリルヒーター駆動回路１１１は、制御部１００からの加熱指令に応じて、グリル庫３０内のグリルヒーター３１を駆動する。
表示部駆動回路１１２は、制御部１００からの指示に従い、例えばＬＣＤにより構成された表示部６を駆動する。
【００２５】
次に、本実施の形態１における操作部５の詳細について、図２および図４により説明する。
【００２６】
図４は本発明の実施の形態１に係る操作部を示す図である。
図２、図４に示すように、操作部５は、加熱調理器の主電源をオン・オフ操作する主電源スイッチ５０と、誘導加熱コイル３Ｒの加熱調理に関する操作を行う右ＩＨ操作部５Ｒと、誘導加熱コイル３Ｌの加熱調理に関する操作を行う左ＩＨ操作部５Ｌと、グリル庫３０の加熱調理に関する操作を行うグリル操作部５Ｇとにより構成されている。
【００２７】
また、右ＩＨ操作部５Ｒ、および左ＩＨ操作部５Ｌは、それぞれ、操作対象となる加熱口４の幅方向の位置と対応する位置に配置されている。すなわち、右ＩＨ操作部５Ｒは、誘導加熱コイル３Ｒの手前（紙面下側）に配置され、左ＩＨ操作部５Ｌは、誘導加熱コイル３Ｌの手前（紙面下側）に配置されている。また、グリル操作部５Ｇは操作部５の中央に配置されている。
このような配置によって、図２の一点鎖線で示すように、トッププレート２の上面において、誘導加熱コイル３Ｒおよび右ＩＨ操作部５Ｒが配置された配置エリア７０Ｒと、誘導加熱コイル３Ｌおよび左ＩＨ操作部５Ｌが配置された配置エリア７０Ｌと、グリル操作部５Ｇとが、それぞれ互いに重複しないような配置となっている。
【００２８】
なお、本実施の形態におけるグリル庫３０は本体１の中央下部に配置されているため、これに対応して中央部にグリル操作部５Ｇを配置しているが、グリル操作部５Ｇの配置はこれに限るものではない。例えばトッププレート２の後部中央にさらに加熱口を設ける場合（３口の場合）には、当該加熱口の加熱手段を操作する操作部を中央に設けるようにしても良い。
【００２９】
右ＩＨ操作部５Ｒは、誘導加熱コイル３Ｒによる加熱調理の開始・停止操作をする切入スイッチ５１Ｒと、誘導加熱コイル３Ｒによる加熱調理の火力を設定する火力設定スイッチ５２Ｒと、所望の時間経過後に加熱調理を停止させるタイマー調理モードの設定・実行をする切タイマースイッチ５３とを備えている。
すなわち、右ＩＨ操作部５Ｒを構成する切入スイッチ５１Ｒ、火力設定スイッチ５２Ｒ、および切タイマースイッチ５３は、操作対象である誘導加熱コイル３Ｒの幅方向の位置と対応する位置に配置されている。
【００３０】
左ＩＨ操作部５Ｌは、誘導加熱コイル３Ｌによる加熱調理の開始・停止操作をする切入スイッチ５１Ｌと、誘導加熱コイル３Ｌによる加熱調理の火力を設定する火力設定スイッチ５２Ｌと、被加熱物を所望の温度に加熱する調理モードである揚げ物調理の設定・実行をする揚げ物スイッチ５４とを備えている。
すなわち、左ＩＨ操作部５Ｌを構成する切入スイッチ５１Ｌ、火力設定スイッチ５２Ｌ、および揚げ物スイッチ５４は、操作対象である誘導加熱コイル３Ｌの幅方向の位置と対応する位置に配置されている。
【００３１】
グリル操作部５Ｇは、グリルヒーター３１による加熱調理の開始・停止操作をする切入スイッチ５１Ｇと、グリルヒーター３１による加熱調理に関する設定を入力する手動調理スイッチ５５および自動調理スイッチ５６とを備えている。
すなわち、本実施の形態ではグリル庫３０が本体１の中央に配置されているため、グリル操作部５Ｇを構成する切入スイッチ５１Ｇ、手動調理スイッチ５５、および自動調理スイッチ５６は、操作対象であるグリルヒーター３１の幅方向の位置と対応する位置に配置されている。
また、手動調理スイッチ５５は、使用者の任意の操作によりグリルヒーター３１の火力を調節する焼き加減スイッチと、所望の時間経過後にグリル庫の加熱調理を停止させる切りタイマースイッチとを備えている。
また、自動調理スイッチ５６は、予め設定された所定の加熱調理を実行させる姿焼きスイッチおよび切身ひものスイッチを備えている。
【００３２】
また、図４に示すように、揚げ物スイッチ５４、火力設定スイッチ５２Ｌ、自動調理スイッチ５６、手動調理スイッチ５５、火力設定スイッチ５２Ｒ、および、切タイマースイッチ５３（以下、総称して「操作スイッチ」という。）は、幅方向に一列に配列されている。そして、切入スイッチ５１Ｒ、５１Ｌ、５１Ｇは、上記操作スイッチの配列のさらに手前側（紙面下側）に配置されている。すなわち、切入スイッチ５１Ｒ、５１Ｌ、５１Ｇは、トッププレート２上であって、対応する誘導加熱コイル３Ｒ、３Ｌ、グリルヒーター３１の手前側、且つ、操作スイッチの配列の手前側に配置されている。
【００３３】
なお、本実施の形態１では、操作スイッチが幅方向に一列に配置した場合を説明するが、本発明はこれに限らず、操作スイッチを複数列に配置して、この複数列のさらに手前側に各切入スイッチ５１を配置してもよい。
また、操作スイッチの全てを配列する必要はなく、一部を当該配列以外の場所に設けても良い。
【００３４】
なお、操作スイッチが配置される位置の手前側には、切入スイッチ５１のみを配置するようにしても良い。これにより、より切入スイッチ５１が独立して視認し易くすることができる。
【００３５】
なお、「切入スイッチ５１Ｒ、５１Ｌ、５１Ｇ」は、本発明における「切スイッチ」に相当する。
なお、「火力設定スイッチ５２Ｒ」、「火力設定スイッチ５２Ｌ」、「切タイマースイッチ５３」、「揚げ物スイッチ５４」、「手動調理スイッチ５５」、および「自動調理スイッチ５６」は、本発明における「操作スイッチ」に相当する。
【００３６】
また、主電源スイッチ５０は、少なくとも一部分が、切入スイッチ５１Ｒ、５１Ｌ、５１Ｇの奥行方向の位置と対応する位置に配置されている。すなわち、図４に示すように、切入スイッチ５１Ｒ、５１Ｌ、５１Ｇの奥行方向（本体１の前後方向、紙面上下方向）の配置範囲を示す配置エリア８０に、主電源スイッチ５０の少なくとも一部分が含まれるように配置されている。
【００３７】
以上、本実施の形態１における加熱調理器の構成について説明した。
次に、本実施の形態１における加熱調理器の操作部５の操作について説明する。
【００３８】
例えば加熱口４Ｒに鍋などの被加熱物を載置して加熱する場合を考える。
まず、使用者は主電源スイッチ５０をオンにする。これにより制御部１００等に電力が供給される。
次に、使用者は加熱口４Ｒに対応する右ＩＨ操作部５Ｒの切入スイッチ５１Ｒを押下する。これにより、電源部２００からインバーター回路１１０Ｒに電力が供給され、誘導加熱コイル３Ｒが駆動可能な状態（加熱準備状態）となる。また、このとき、例えば火力表示部６１Ｒを青色表示させて、加熱準備状態である旨の表示をする。
使用者は右ＩＨ操作部５Ｒの火力設定スイッチ５２Ｒを押下する。これにより、制御部１００は、インバーター回路１１０Ｒを駆動して誘導加熱コイル３Ｒによる誘導加熱を開始させる。
以降、使用者は、火力設定スイッチ５２Ｒや切タイマースイッチ５３を操作して所望の加熱調理を行う。
そして、加熱調理を終了させる場合には、使用者は切入スイッチ５１Ｒを押下する。これにより、制御部１００は、インバーター回路１１０Ｒの駆動を停止させ、電源部２００からインバーター回路１１０Ｒへの電力供給を停止させる。
【００３９】
なお、本実施の形態１では、各切入スイッチ５１により、加熱準備状態への移行と加熱調理の終了とを操作する場合を説明したが、本発明はこれに限るものではない。切入スイッチ５１に代えて、対応する加熱手段による加熱調理の停止操作のみを行う切スイッチを設けてもよい。
【００４０】
以上のように本実施の形態においては、操作スイッチの少なくとも一部は、トッププレート２上であって、加熱手段の手前側に、１または複数列に配列され、切入スイッチ５１は、トッププレート２上であって、対応する加熱手段の手前側、且つ、操作スイッチの配列の手前側に配置されている。
このため、切入スイッチ５１が視認し易くなり、操作の迷いや誤操作を低減することができる。よって、加熱調理を停止させる操作の使い勝手を向上することができる。
また、操作スイッチと切入スイッチ５１とが区別し易くなり、操作の迷いや誤操作を低減することができる。
また、各切入スイッチ５１が対応する加熱手段の手前側に配置されるため、切入スイッチ５１と操作対象の加熱手段との関係が理解しやすく、使い勝手を向上させることができる。
また、操作スイッチの配列のさらに手前に切入スイッチ５１を配置するので、切入スイッチ５１を独立して視認することができ、切入スイッチ５１と他の操作スイッチとが視覚的に明確に区別することができる。よって、緊急時に操作を迷ったり押し違いをすることを低減することができる。
また、切入スイッチ５１はトッププレート２上面の使用者に最も近い手前側に配置されるので、使用者から切入スイッチ５１を視認し易く、操作の迷いや誤操作を低減することができる。また、使用者は切入スイッチ５１が操作し易く、緊急時での即時の操作ができ、また誤操作を低減することができる。
また、操作スイッチと切入スイッチ５１とを同じ配列に配置した場合と比較して、加熱手段毎の操作部（右ＩＨ操作部５Ｒ、左ＩＨ操作部５Ｌ、グリル操作部５Ｇ）の間隔を広くすることができ、各操作スイッチと加熱手段との対応関係をより明確に理解でき、使い勝手を向上することができる。
また、本体１の前面にプッシュ式の操作摘みを設ける場合と比較して、製造コストを軽減することができる。
また、切入スイッチ５１は、トッププレート２の上面に配置されているので、使用者から視認しやすく、緊急時での即時の操作ができ、また誤操作を低減することができる。
また、切入スイッチ５１は、加熱手段ごとに設けているので、所望の加熱手段による加熱調理を停止させることができる。
【００４１】
また、主電源スイッチ５０は、少なくとも一部分が、各切入スイッチ５１の奥行方向の位置と対応する位置に配置されている。
このため、加熱停止に関する操作が共通するスイッチの配置位置を対応させることができ、加熱調理を停止させる操作の使い勝手を向上することができる。
【００４２】
実施の形態２．
本実施の形態２では、上記実施の形態１の構成に加え、操作部５の各切入スイッチ５１および各操作スイッチを、操作対象の加熱手段毎に区分する区分手段を備える構成について説明する。
なお、上記実施の形態１と同一の構成には同一の符号を付する。
【００４３】
図５は本発明の実施の形態２に係る加熱調理器の上面図である。
図６は本発明の実施の形態２に係る操作部を示す図である。
図７は本発明の実施の形態２に係る操作部の要部拡大図である。また、図７（ａ）は操作部５の要部を拡大した上面図である。図７（ｂ）は図７（ａ）の矢視Ａ−Ａから見た図である。
図５〜図７に示すように、本実施の形態２の加熱調理器は、操作部５の左ＩＨ操作部５Ｌとグリル操作部５Ｇとを区分するリブ状の区分手段８１と、グリル操作部５Ｇと右ＩＨ操作部５Ｒとを区分するリブ状の区分手段８２とを設けている。
図７（ｂ）に示すように、リブ状の区分手段８１、８２は、操作部５の上面に形成されたリブ状の突起により構成されている。
【００４４】
このような区分手段８１、８２を設けることにより、上記実施の形態１の効果に加え、さらに、加熱手段毎の操作部（右ＩＨ操作部５Ｒ、左ＩＨ操作部５Ｌ、グリル操作部５Ｇ）を区別し易くすることができる。よって、操作の迷いや誤操作を低減することができ、使い勝手を向上することができる。
【００４５】
なお、上記では区分手段がリブ状の場合を説明したが、本発明はこれに限るものではない。
例えば、図８に示すように、右ＩＨ操作部５Ｒ、左ＩＨ操作部５Ｌ、グリル操作部５Ｇの配置位置を区分する段差９１を形成するようにしても良い。
また例えば、図９に示すように、色彩の色分けにより、右ＩＨ操作部５Ｒ、左ＩＨ操作部５Ｌ、グリル操作部５Ｇの配置位置を区分するようにしても良い。
さらに、リブ状の突起、段差、および色彩の色分けの全てまたは任意の組み合わせにより区分手段を構成しても良い。
このような構成によっても、同様の効果を奏することができる。
【００４６】
なお、上記実施の形態１および２では、加熱手段としての誘導加熱コイルに高周波電流を流して誘導加熱を行う加熱調理器について説明したが、本発明はこれに限るものではなく、例えば、輻射によって加熱する輻射型熱源を用いる電気ヒーター（例えばニクロム線やハロゲンヒーター、ラジエントヒーター）を用いるようにしても良い。
【符号の説明】
【００４７】
１  本体、２  トッププレート、３Ｌ  誘導加熱コイル、３Ｒ  誘導加熱コイル、４Ｌ  加熱口、４Ｒ  加熱口、５  操作部、５Ｒ  右ＩＨ操作部、５Ｌ  左ＩＨ操作部、５Ｇ  グリル操作部、６  表示部、２０Ｒ  吸気口、２０Ｌ  吸気口、２１  排気口、２２  カバー、３０  グリル庫、３１  グリルヒーター、３２  グリル扉、３３  視認窓、３４  グリル把持部、５０  主電源スイッチ、５１Ｇ  切入スイッチ、５１Ｌ  切入スイッチ、５１Ｒ  切入スイッチ、５２Ｌ  火力設定スイッチ、５２Ｒ  火力設定スイッチ、５３  切タイマースイッチ、５４  揚げ物スイッチ、５５  手動調理スイッチ、５６  自動調理スイッチ、６０  中央表示部、６１Ｌ  火力表示部、６１Ｒ  火力表示部、６２Ｌ  左表示部、６２Ｒ  右表示部、７０Ｌ  配置エリア、７０Ｒ  配置エリア、８０  配置エリア、８１  区分手段、８２  区分手段、９１  段差、１００  制御部、１１０Ｌ  インバーター回路、１１０Ｒ  インバーター回路、１１１  グリルヒーター駆動回路、１１２  表示部駆動回路、１１３  スピーカー、２００  電源部。
【図１】
0005511957.tif 000002
【図２】
0005511957.tif 000003
【図３】
0005511957.tif 000004
【図４】
0005511957.tif 000005
【図５】
0005511957.tif 000006
【図６】
0005511957.tif 000007
【図７】
0005511957.tif 000008
【図８】
0005511957.tif 000009
【図９】
0005511957.tif 000010